(57)【特許請求の範囲】
【請求項１】
対応する表示パネルにおける複数の画素アレイを、画像を表示するように制御する駆動回路であって、
前記画素アレイに提供されるデータ信号を生成するデータ信号提供モジュールと、
第１選択信号を提供する第１選択信号生成モジュールと、
第２選択信号を提供する第２選択信号生成モジュールと、
選択モジュールと、
を備え、
前記選択モジュールは、少なくとも２つの選択スイッチの組合せを含み、前記選択スイッチの組合せは、前記第１選択信号生成モジュール、前記第２選択信号生成モジュール、前記データ信号提供モジュール、及び前記画素アレイに電気的に接続され、前記選択スイッチの組合せは、前記第１選択信号、前記第２選択信号、及び前記データ信号を受信し、前記第１選択信号と前記第２選択信号に基づいて、前記データ信号を前記画素アレイに出力し、
前記選択スイッチの組合せは、
前記第１選択信号生成モジュール及び前記データ信号提供モジュールに電気的に接続されている第１スイッチと、
前記第２選択信号生成モジュール及び前記データ信号提供モジュールに電気的に接続されている第２スイッチと、
前記第１選択信号生成モジュール及び前記データ信号提供モジュールに電気的に接続されている第３スイッチと、
前記第２選択信号生成モジュール、前記第３スイッチ、及び前記画素アレイにおける第３画素列に電気的に接続されている第４スイッチと、
前記第２選択信号生成モジュール、前記第１スイッチ、及び前記画素アレイにおける第１画素列に電気的に接続されている第５スイッチと、
前記第１選択信号生成モジュール、前記第２スイッチ、及び前記画素アレイにおける第２画素列に電気的に接続されている第６スイッチと、
を含み、
前記複数の画素アレイは、少なくとも２つの画素アレイを有する第１画素列、少なくとも２つの画素アレイを有する第２画素列、及び少なくとも２つの画素アレイを有する第３画素列を含み、
前記駆動回路は、走査信号提供モジュールをさらに備え、前記走査信号提供モジュールは、前記画素アレイに電気的に接続され、前記走査信号提供モジュールは、少なくとも２つの走査信号を生成し、且つ前記少なくとも２つの走査信号を前記複数の画素アレイにそれぞれ送信し、
前記第１スイッチは、
前記第１選択信号生成モジュールに電気的に接続されている第１制御端と、
前記データ信号提供モジュールに電気的に接続されている第１入力端と、
前記第５スイッチに電気的に接続されている第１出力端と、
を含み、
前記第１制御端は、前記第１選択信号を受信し、前記第１選択信号に基づいて、前記第１入力端と前記第１出力端との間の第１電流チャンネルのオン・オフを制御し、
前記第２スイッチは、
前記第２選択信号生成モジュールに電気的に接続されている第２制御端と、
前記データ信号提供モジュールに電気的に接続されている第２入力端と、
前記第６スイッチに電気的に接続されている第２出力端と、
を含み、
前記第２制御端は、前記第２選択信号を受信し、前記第２選択信号に基づいて、前記第２入力端と前記第２出力端との間の第２電流チャンネルのオン・オフを制御し、
前記第３スイッチは、
前記第１選択信号生成モジュールに電気的に接続されている第３制御端と、
前記データ信号提供モジュールに電気的に接続されている第３入力端と、
前記第４スイッチに電気的に接続されている第３出力端と、
を含み、
前記第３制御端は、前記第１選択信号を受信し、前記第１選択信号に基づいて、前記第３入力端と前記第３出力端との間の第３電流チャンネルのオン・オフを制御し、
前記第４スイッチは、
前記第２選択信号生成モジュールに電気的に接続されている第４制御端と、
前記第３出力端に電気的に接続されている第４入力端と、
前記第３画素列に電気的に接続されている第４出力端と、
を含み、
前記第４制御端は、前記第２選択信号を受信し、前記第２選択信号に基づいて、前記第４入力端と前記第４出力端との間の第４電流チャンネルのオン・オフを制御し、
前記第５スイッチは、
前記第２選択信号生成モジュールに電気的に接続されている第５制御端と、
前記第１出力端に電気的に接続されている第５入力端と、
前記第１画素列に電気的に接続されている第５出力端と、
を含み、
前記第５制御端は、前記第２選択信号を受信し、前記第２選択信号に基づいて、前記第５入力端と前記第５出力端との間の第５電流チャンネルのオン・オフを制御し、
前記第６スイッチは、
前記第１選択信号生成モジュールに電気的に接続されている第６制御端と、
前記第２出力端に電気的に接続されている第６入力端と、
前記第２画素列に電気的に接続されている第６出力端と、
を含み、
前記第６制御端は、前記第１選択信号を受信し、前記第１選択信号に基づいて、前記第６入力端と前記第６出力端との間の第６電流チャンネルのオン・オフを制御し、
前記第１選択信号のハイレベルの持続時間は、前記第２選択信号のハイレベルの持続時間と同一であり、前記第１選択信号のローレベルの持続時間は、前記第２選択信号のローレベルの持続時間と同一であり、
前記第１選択信号のハイレベルの持続時間と、前記第２選択信号のハイレベルの持続時間は、ともに２Ｋ個のクロック単位周期であり、前記第１選択信号のローレベルの持続時間と、前記第２選択信号のローレベルの持続時間は、ともにＫ個のクロック単位周期であり、ここで、前記Ｋは正整数であり、
前記第２選択信号のハイレベルの立ち上がりエッジの開始時間と、前記第１選択信号のハイレベルの立ち上がりエッジの開始時間は、Ｋ個のクロック単位周期離れ、
前記走査信号のハイレベルの持続時間は、３Ｋ個のクロック単位周期であり、前記走査信号のローレベルの持続時間も３Ｋ個のクロック単位周期である駆動回路。
【請求項２】
前記第１電流チャンネルは、前記第３電流チャンネルがオンの時にオンし、前記第３電流チャンネルがオフの時にオフし、前記第６電流チャンネルがオンの時にオフし、前記第６電流チャンネルがオフの時にオンし、
前記第２電流チャンネルは、前記第４電流チャンネルがオンの時にオンし、前記第４電流チャンネルがオフの時にオフし、前記第５電流チャンネルがオンの時にオフし、前記第５電流チャンネルがオフの時にオンし、
前記第３電流チャンネルは、前記第１電流チャンネルがオンの時にオンし、前記第１電流チャンネルがオフの時にオフし、前記第６電流チャンネルがオンの時にオフし、前記第６電流チャンネルがオフの時にオンし、
前記第４電流チャンネルは、前記第２電流チャンネルがオンの時にオンし、前記第２電流チャンネルがオフの時にオフし、前記第５電流チャンネルがオンの時にオフし、前記第５電流チャンネルがオフの時にオンし、
前記第５電流チャンネルは、前記第２電流チャンネルがオンの時にオフし、前記第２電流チャンネルがオフの時にオンし、前記第４電流チャンネルがオンの時にオフし、前記第４電流チャンネルがオフの時にオンし、
前記第６電流チャンネルは、前記第１電流チャンネルがオンの時にオフし、前記第１電流チャンネルがオフの時にオンし、前記第３電流チャンネルがオンの時にオフし、前記第３電流チャンネルがオフの時にオンする請求項１に記載の駆動回路。
【請求項３】
前記第１制御端は、第１信号線を介して前記第１選択信号生成モジュールに電気的に接続され、
前記第２制御端は、第２信号線を介して前記第２選択信号生成モジュールに電気的に接続され、
前記第３制御端は、前記第１信号線を介して前記第１選択信号生成モジュールに電気的に接続され、
前記第４制御端は、前記第２信号線を介して前記第２選択信号生成モジュールに電気的に接続され、
前記第５制御端は、前記第２信号線を介して前記第２選択信号生成モジュールに電気的に接続され、
前記第６制御端は、前記第１信号線を介して前記第１選択信号生成モジュールに電気的に接続されている請求項１に記載の駆動回路。
【請求項４】
前記第１スイッチ、前記第２スイッチ、前記第３スイッチ及び前記第４スイッチは、いずれもＮチャネル金属酸化物半導体トランジスタであり、前記第５スイッチ及び前記第６スイッチは、いずれもＰチャネル金属酸化物半導体トランジスタであり、又は
前記第１スイッチ、前記第２スイッチ、前記第３スイッチ及び前記第４スイッチは、いずれもＰチャネル金属酸化物半導体トランジスタであり、前記第５スイッチ及び前記第６スイッチは、いずれもＮチャネル金属酸化物半導体トランジスタである請求項１乃至３のいずれか一項に記載の駆動回路。
【請求項５】
複数の画素アレイと、
前記画素アレイを、画像を表示するように制御する駆動回路と、
を含む表示パネルであって、
前記駆動回路は、
前記画素アレイに提供されるデータ信号を生成するデータ信号提供モジュールと、
第１選択信号を提供する第１選択信号生成モジュールと、
第２選択信号を提供する第２選択信号生成モジュールと、
選択モジュールと、
を含み、
前記選択モジュールは、少なくとも２つの選択スイッチの組合せを含み、前記選択スイッチの組合せは、前記第１選択信号生成モジュール、前記第２選択信号生成モジュール、前記データ信号提供モジュール及び前記画素アレイに電気的に接続され、前記選択スイッチの組合せは、前記第１選択信号、前記第２選択信号及び前記データ信号を受信し、前記第１選択信号及び前記第２選択信号に基づいて、前記データ信号を前記画素アレイに出力し、
前記選択スイッチの組合せは、
前記第１選択信号生成モジュール及び前記データ信号提供モジュールに電気的に接続されている第１スイッチと、
前記第２選択信号生成モジュール及び前記データ信号提供モジュールに電気的に接続されている第２スイッチと、
前記第１選択信号生成モジュール及び前記データ信号提供モジュールに電気的に接続されている第３スイッチと、
前記第２選択信号生成モジュール、前記第３スイッチ及び前記画素アレイにおける第３画素列に電気的に接続されている第４スイッチと、
前記第２選択信号生成モジュール、前記第１スイッチ及び前記画素アレイにおける第１画素列に電気的に接続されている第５スイッチと、
前記第１選択信号生成モジュール、前記第２スイッチ及び前記画素アレイにおける第２画素列に電気的に接続されている第６スイッチと、
を含み、
前記複数の画素アレイは、少なくとも２つの画素アレイを有する第１画素列、少なくとも２つの画素アレイを有する第２画素列、及び少なくとも２つの画素アレイを有する第３画素列を含み、
前記駆動回路は、走査信号提供モジュールをさらに備え、前記走査信号提供モジュールは、前記画素アレイに電気的に接続され、前記走査信号提供モジュールは、少なくとも２つの走査信号を生成し、且つ前記少なくとも２つの走査信号を前記複数の画素アレイにそれぞれ送信し、
前記第１スイッチは、
前記第１選択信号生成モジュールに電気的に接続されている第１制御端と、
前記データ信号提供モジュールに電気的に接続されている第１入力端と、
前記第５スイッチに電気的に接続されている第１出力端と、
を含み、
前記第１制御端は、前記第１選択信号を受信し、前記第１選択信号に基づいて、前記第１入力端と前記第１出力端との間の第１電流チャンネルのオン・オフを制御し、
前記第２スイッチは、
前記第２選択信号生成モジュールに電気的に接続されている第２制御端と、
前記データ信号提供モジュールに電気的に接続されている第２入力端と、
前記第６スイッチに電気的に接続されている第２出力端と、
を含み、
前記第２制御端は、前記第２選択信号を受信し、前記第２選択信号に基づいて、前記第２入力端と前記第２出力端との間の第２電流チャンネルのオン・オフを制御し、
前記第３スイッチは、
前記第１選択信号生成モジュールに電気的に接続されている第３制御端と、
前記データ信号提供モジュールに電気的に接続されている第３入力端と、
前記第４スイッチに電気的に接続されている第３出力端と、
を含み、
前記第３制御端は、前記第１選択信号を受信し、前記第１選択信号に基づいて、前記第３入力端と前記第３出力端との間の第３電流チャンネルのオン・オフを制御し、
前記第４スイッチは、
前記第２選択信号生成モジュールに電気的に接続されている第４制御端と、
前記第３出力端に電気的に接続されている第４入力端と、
前記第３画素列に電気的に接続されている第４出力端と、
を含み、
前記第４制御端は、前記第２選択信号を受信し、前記第２選択信号に基づいて、前記第４入力端と前記第４出力端との間の第４電流チャンネルのオン・オフを制御し、
前記第５スイッチは、
前記第２選択信号生成モジュールに電気的に接続されている第５制御端と、
前記第１出力端に電気的に接続されている第５入力端と、
前記第１画素列に電気的に接続されている第５出力端と、
を含み、
前記第５制御端は、前記第２選択信号を受信し、前記第２選択信号に基づいて、前記第５入力端と前記第５出力端との間の第５電流チャンネルのオン・オフを制御し、
前記第６スイッチは、
前記第１選択信号生成モジュールに電気的に接続されている第６制御端と、
前記第２出力端に電気的に接続されている第６入力端と、
前記第２画素列に電気的に接続されている第６出力端と、
前記第６制御端は、前記第１選択信号を受信し、前記第１選択信号に基づいて、前記第６入力端と前記第６出力端との間の第６電流チャンネルのオン・オフを制御し、
前記第１選択信号のハイレベルの持続時間は、前記第２選択信号のハイレベルの持続時間と同一であり、前記第１選択信号のローレベルの持続時間は、前記第２選択信号のローレベルの持続時間と同一であり、
前記第１選択信号のハイレベルの持続時間及び前記第２選択信号のハイレベルの持続時間は、いずれも２Ｋ個のクロック単位周期であり、前記第１選択信号のローレベルの持続時間及び前記第２選択信号のローレベルの持続時間は、いずれもＫ個のクロック単位周期であり、ここで、前記Ｋは正整数であり、
前記第２選択信号のハイレベルの立ち上がりエッジの開始時間と、前記第１選択信号のハイレベルの立ち上がりエッジの開始時間は、Ｋ個のクロック単位周期離れ、
前記走査信号のハイレベルの持続時間は、３Ｋ個のクロック単位周期であり、前記走査信号のローレベルの持続時間も３Ｋ個のクロック単位周期である表示パネル。
【請求項６】
前記第１制御端は、第１信号線を介して前記第１選択信号生成モジュールに電気的に接続され、
前記第２制御端は、第２信号線を介して前記第２選択信号生成モジュールに電気的に接続され、
前記第３制御端は、前記第１信号線を介して前記第１選択信号生成モジュールに電気的に接続され、
前記第４制御端は、前記第２信号線を介して前記第２選択信号生成モジュールに電気的に接続され、
前記第５制御端は、前記第２信号線を介して前記第２選択信号生成モジュールに電気的に接続され、
前記第６制御端は、前記第１信号線を介して前記第１選択信号生成モジュールに電気的に接続されている請求項５に記載の表示パネル。
【請求項７】
前記第１電流チャンネルは、前記第３電流チャンネルがオンの時にオンし、前記第３電流チャンネルがオフの時にオフし、前記第６電流チャンネルがオンの時にオフし、前記第６電流チャンネルがオフの時にオンし、
前記第２電流チャンネルは、前記第４電流チャンネルがオンの時にオンし、前記第４電流チャンネルがオフの時にオフし、前記第５電流チャンネルがオンの時にオフし、前記第５電流チャンネルがオフの時にオンし、
前記第３電流チャンネルは、前記第１電流チャンネルがオンの時にオンし、前記第１電流チャンネルがオフの時にオフし、前記第６電流チャンネルがオンの時にオフし、前記第６電流チャンネルがオフの時にオンし、
前記第４電流チャンネルは、前記第２電流チャンネルがオンの時にオンし、前記第２電流チャンネルがオフの時にオフし、前記第５電流チャンネルがオンの時にオフし、前記第５電流チャンネルがオフの時にオンし、
前記第５電流チャンネルは、前記第２電流チャンネルがオンの時にオフし、前記第２電流チャンネルがオフの時にオンし、前記第４電流チャンネルがオンの時にオフし、前記第４電流チャンネルがオフの時にオンし、
前記第６電流チャンネルは、前記第１電流チャンネルがオンの時にオフし、前記第１電流チャンネルがオフの時にオンし、前記第３電流チャンネルがオンの時にオフし、前記第３電流チャンネルがオフの時にオンする請求項５に記載の表示パネル。
【請求項８】
前記第１スイッチ、前記第２スイッチ、前記第３スイッチ及び前記第４スイッチは、いずれもＮチャネル金属酸化物半導体トランジスタであり、前記第５スイッチ及び前記第６スイッチは、いずれもＰチャネル金属酸化物半導体トランジスタであり、又は、
前記第１スイッチ、前記第２スイッチ、前記第３スイッチ及び前記第４スイッチは、いずれもＰチャネル金属酸化物半導体トランジスタであり、前記第５スイッチ及び前記第６スイッチは、いずれもＮチャネル金属酸化物半導体トランジスタである請求項５乃至７のいずれか一項に記載の表示パネル。
【発明の詳細な説明】
【技術分野】
【０００１】
本発明は、表示技術分野、特に、表示パネル及びその駆動回路に関する。
【背景技術】
【０００２】
従来の表示パネルは、一般的に駆動回路を備えており、従来の駆動回路は、前記表示パネルにおける画像単位を、対応する画像を表示するように制御する。
【０００３】
従来の駆動回路が前記表示パネルを駆動する技術手段は、一般的に以下の通りである。
前記駆動回路が走査信号、データ信号及び選択信号を生成し、前記走査信号が走査線により前記画像単位に送信され、前記データ信号がデータ線により前記画像単位に送信され、前記選択信号は、前記データ信号の前記画像単位への出力を選択的に制御する。
【０００４】
実際には、従来技術において、少なくとも以下の問題が存在する。
前記表示パネルは、表示パネルに対する高解像度の要求を満足するために、多数の配線が必要であり、つまり、解像度が高い表示パネルは、多くの配線が必要である。しかし、前記表示パネルの配線空間に限りがあるため、その中の配線の数が無制限に増加することはありえないから、前記表示パネルの解像度の向上が制限される。
【０００５】
そのため、上記の問題を解決するために、新しい技術手段を提供する必要がある。
【発明の概要】
【０００６】
本発明は、前記表示パネルの配線数の減少に有利である表示パネル及びその駆動回路を提供することを目的とする。
【０００７】
上記の問題を解決するために、本発明の技術手段は以下の通りである。
対応する表示パネルにおける画素アレイを、画像を表示するように制御する駆動回路であって、前記画素アレイに提供されるデータ信号を生成するデータ信号提供モジュールと、第１選択信号を提供する第１選択信号生成モジュールと、第２選択信号を提供する第２選択信号生成モジュールと、選択モジュールとを備え、前記選択モジュールは、少なくとも２つの選択スイッチの組合せを含み、前記選択スイッチの組合せは、前記第１選択信号生成モジュール、前記第２選択信号生成モジュール、前記データ信号提供モジュール及び前記画素アレイに電気的に接続され、前記選択スイッチの組合せは、前記第１選択信号、前記第２選択信号及び前記データ信号を受信し、前記第１選択信号及び前記第２選択信号に基づいて、前記データ信号を前記画素アレイに出力し、前記選択スイッチの組合せは、前記第１選択信号生成モジュール及び前記データ信号提供モジュールに電気的に接続されている第１スイッチと、前記第２選択信号生成モジュール及び前記データ信号提供モジュールに電気的に接続されている第２スイッチと、前記第１選択信号生成モジュール及び前記データ信号提供モジュールに電気的に接続されている第３スイッチと、前記第２選択信号生成モジュール、前記第３スイッチ及び前記画素アレイにおける第３画素列に電気的に接続されている第４スイッチと、前記第２選択信号生成モジュール、前記第１スイッチ及び前記画素アレイにおける第１画素列に電気的に接続されている第５スイッチと、前記第１選択信号生成モジュール、前記第２スイッチ及び前記画素アレイにおける第２画素列に電気的に接続されている第６スイッチと、を含み、前記駆動回路は、走査信号提供モジュールをさらに含み、前記走査信号提供モジュールは、前記画素アレイに電気的に接続され、前記走査信号提供モジュールは、走査信号を生成し、前記走査信号を前記画素アレイに送信する。
【０００８】
前記駆動回路において、前記第１スイッチは、前記第１選択信号生成モジュールに電気的に接続されている第１制御端と、前記データ信号提供モジュールに電気的に接続されている第１入力端と、前記第５スイッチに電気的に接続されている第１出力端とを含み、前記第１制御端は、前記第１選択信号を受信し、前記第１選択信号に基づいて、前記第１入力端と前記第１出力端との間の第１電流チャンネルのオン・オフを制御し、前記第２スイッチは、前記第２選択信号生成モジュールに電気的に接続されている第２制御端と、前記データ信号提供モジュールに電気的に接続されている第２入力端と、前記第６スイッチに電気的に接続されている第２出力端とを含み、前記第２制御端は、前記第２選択信号を受信し、前記第２選択信号に基づいて、前記第２入力端と前記第２出力端との間の第２電流チャンネルのオン・オフを制御し、前記第３スイッチは、前記第１選択信号生成モジュールに電気的に接続されている第３制御端と、前記データ信号提供モジュールに電気的に接続されている第３入力端と、前記第４スイッチに電気的に接続されている第３出力端とを含み、前記第３制御端は、前記第１選択信号を受信し、前記第１選択信号に基づいて、前記第３入力端と前記第３出力端との間の第３電流チャンネルのオン・オフを制御し、前記第４スイッチは、前記第２選択信号生成モジュールに電気的に接続されている第４制御端と、前記第３出力端に電気的に接続されている第４入力端と、前記第３画素列に電気的に接続されている第４出力端とを含み、前記第４制御端は、前記第２選択信号を受信し、前記第２選択信号に基づいて、前記第４入力端と前記第４出力端との間の第４電流チャンネルのオン・オフを制御し、前記第５スイッチは、前記第２選択信号生成モジュールに電気的に接続されている第５制御端と、前記第１出力端に電気的に接続されている第５入力端と、前記第１画素列に電気的に接続されている第５出力端とを含み、前記第５制御端は、前記第２選択信号を受信し、前記第２選択信号に基づいて、前記第５入力端と前記第５出力端との間の第５電流チャンネルのオン・オフを制御し、前記第６スイッチは、前記第１選択信号生成モジュールに電気的に接続されている第６制御端と、前記第２出力端に電気的に接続されている第６入力端と、前記第２画素列に電気的に接続されている第６出力端とを含み、前記第６制御端は、前記第１選択信号を受信し、前記第１選択信号に基づいて、前記第６入力端と前記第６出力端との間の第６電流チャンネルのオン・オフを制御する。
【０００９】
前記駆動回路において、前記第１電流チャンネルは、前記第３電流チャンネルがオンの時にオンし、前記第３電流チャンネルがオフの時にオフし、前記第６電流チャンネルがオンの時にオフし、前記第６電流チャンネルがオフの時にオンし、前記第２電流チャンネルは、前記第４電流チャンネルがオンの時にオンし、前記第４電流チャンネルがオフの時にオフし、前記第５電流チャンネルがオンの時にオフし、前記第５電流チャンネルがオフの時にオンし、前記第３電流チャンネルは、前記第１電流チャンネルがオンの時にオンし、前記第１電流チャンネルがオフの時にオフし、前記第６電流チャンネルがオンの時にオフし、前記第６電流チャンネルがオフの時にオンし、前記第４電流チャンネルは、前記第２電流チャンネルがオンの時にオンし、前記第２電流チャンネルがオフの時にオフし、前記第５電流チャンネルがオンの時にオフし、前記第５電流チャンネルがオフの時にオンし、前記第５電流チャンネルは、前記第２電流チャンネルがオンの時にオフし、前記第２電流チャンネルがオフの時にオンし、前記第４電流チャンネルがオンの時にオフし、前記第４電流チャンネルがオフの時にオンし、前記第６電流チャンネルは、前記第１電流チャンネルがオンの時にオフし、前記第１電流チャンネルがオフの時にオンし、前記第３電流チャンネルがオンの時にオフし、前記第３電流チャンネルがオフの時にオンする。
【００１０】
前記駆動回路において、前記第１選択信号のハイレベルの持続時間は、前記第２選択信号のハイレベルの持続時間と同一であり、前記第１選択信号のローレベルの持続時間は、前記第２選択信号のローレベルの持続時間と同一であり、前記第１選択信号のハイレベルの持続時間及び前記第２選択信号のハイレベルの持続時間は、いずれも２Ｋ個のクロック単位周期であり、前記第１選択信号のローレベルの持続時間及び前記第２選択信号のローレベルの持続時間は、いずれもＫ個のクロック単位周期であり、ここで、前記Ｋは正整数であり、前記第２選択信号のハイレベルの立ち上がりエッジの開始時間と前記第１選択信号のハイレベルの立ち上がりエッジの開始時間は、Ｋ個のクロック単位周期離れている。
【００１１】
対応する表示パネルにおける画素アレイを、画像を表示するように制御する前記駆動回路であって、前記駆動回路は、前記画素アレイに提供されるデータ信号を生成すると、第１選択信号を提供する第１選択信号生成モジュールと、第２選択信号を提供する第２選択信号生成モジュールと、選択モジュールとを含み、前記選択モジュールは、少なくとも２つの選択スイッチの組合せを含み、前記選択スイッチの組合せは、前記第１選択信号生成モジュール、前記第２選択信号生成モジュール、前記データ信号提供モジュール及び前記画素アレイに電気的に接続され、前記選択スイッチの組合せは、前記第１選択信号、前記第２選択信号及び前記データ信号を受信し、前記第１選択信号及び前記第２選択信号に基づいて、前記データ信号を前記画素アレイに出力する。
【００１２】
前記駆動回路において、前記選択スイッチの組合せは、前記第１選択信号生成モジュール及び前記データ信号提供モジュールに電気的に接続されている第１スイッチと、前記第２選択信号生成モジュール及び前記データ信号提供モジュールに電気的に接続されている第２スイッチと、前記第１選択信号生成モジュール及び前記データ信号提供モジュールに電気的に接続されている第３スイッチと、前記第２選択信号生成モジュール、前記第３スイッチ及び前記画素アレイにおける第３画素列に電気的に接続されている第４スイッチ、前記第４スイッチと、前記第２選択信号生成モジュール、前記第１スイッチ及び前記画素アレイにおける第１画素列に電気的に接続されている第５スイッチ、前記第５スイッチと、前記第１選択信号生成モジュール、前記第２スイッチ及び前記画素アレイにおける第２画素列に電気的に接続されている第６スイッチと、を含む。
【００１３】
前記駆動回路において、前記第１スイッチは、前記第１選択信号生成モジュールに電気的に接続されている第１制御端と、前記データ信号提供モジュールに電気的に接続されている第１入力端と、前記第５スイッチに電気的に接続されている第１出力端とを含み、前記第１制御端は、前記第１選択信号を受信し、前記第１選択信号に基づいて、前記第１入力端と前記第１出力端との間の第１電流チャンネルのオン・オフを制御し、前記第２スイッチは、前記第２選択信号生成モジュールに電気的に接続されている第２制御端と、前記データ信号提供モジュールに電気的に接続されている第２入力端と、前記第６スイッチに電気的に接続されている第２出力端とを含み、前記第２制御端は、前記第２選択信号を受信し、前記第２選択信号に基づいて、前記第２入力端と前記第２出力端との間の第２電流チャンネルのオン・オフを制御し、前記第３スイッチは、前記第１選択信号生成モジュールに電気的に接続されている第３制御端と、前記データ信号提供モジュールに電気的に接続されている第３入力端と、前記第４スイッチに電気的に接続されている第３出力端と、を含み、前記第３制御端は、前記第１選択信号を受信し、前記第１選択信号に基づいて、前記第３入力端と前記第３出力端との間の第３電流チャンネルのオン・オフを制御し、前記第４スイッチは、前記第２選択信号生成モジュールに電気的に接続されている第４制御端と、前記第３出力端に電気的に接続されている第４入力端と、前記第３画素列に電気的に接続されている第４出力端と、を含み、前記第４制御端は、前記第２選択信号を受信し、前記第２選択信号に基づいて、前記第４入力端と前記第４出力端との間の第４電流チャンネルのオン・オフを制御し、前記第５スイッチは、前記第２選択信号生成モジュールに電気的に接続されている第５制御端と、前記第１出力端に電気的に接続されている第５入力端と、前記第１画素列に電気的に接続されている第５出力端と、前記第５制御端は、前記第２選択信号を受信し、前記第２選択信号に基づいて、前記第５入力端と前記第５出力端との間の第５電流チャンネルのオン・オフを制御し、前記第６スイッチは、前記第１選択信号生成モジュールに電気的に接続されている第６制御端と、前記第２出力端に電気的に接続されている第６入力端と、前記第２画素列に電気的に接続されている第６出力端と、を含み、前記第６制御端は、前記第１選択信号を受信し、前記第１選択信号に基づいて、前記第６入力端と前記第６出力端との間の第６電流チャンネルのオン・オフを制御する。
【００１４】
前記駆動回路において、前記第１制御端は、第１信号線を介して前記第１選択信号生成モジュールに電気的に接続され、前記第２制御端は、第２信号線を介して前記第２選択信号生成モジュールに電気的に接続され、前記第３制御端は、前記第１信号線を介して前記第１選択信号生成モジュールに電気的に接続され、前記第４制御端は、前記第２信号線を介して前記第２選択信号生成モジュールに電気的に接続され、前記第５制御端は、前記第２信号線を介して前記第２選択信号生成モジュールに電気的に接続され、前記第６制御端は、前記第１信号線を介して前記第１選択信号生成モジュールに電気的に接続されている。
【００１５】
前記駆動回路において、前記第１電流チャンネルは、前記第３電流チャンネルがオンの時にオンし、前記第３電流チャンネルがオフの時にオフし、前記第６電流チャンネルがオンの時にオフし、前記第６電流チャンネルがオフの時にオンし、前記第２電流チャンネルは、前記第４電流チャンネルがオンの時にオンし、前記第４電流チャンネルがオフの時にオフし、前記第５電流チャンネルがオンの時にオフし、前記第５電流チャンネルがオフの時にオンし、前記第３電流チャンネルは、前記第１電流チャンネルがオンの時にオンし、前記第１電流チャンネルがオフの時にオフし、前記第６電流チャンネルがオンの時にオフし、前記第６電流チャンネルがオフの時にオンし、前記第４電流チャンネルは、前記第２電流チャンネルがオンの時にオンし、前記第２電流チャンネルがオフの時にオフし、前記第５電流チャンネルがオンの時にオフし、前記第５電流チャンネルがオフの時にオンし、前記第５電流チャンネルは、前記第２電流チャンネルがオンの時にオフし、前記第２電流チャンネルがオフの時にオンし、前記第４電流チャンネルがオンの時にオフし、前記第４電流チャンネルがオフの時にオンし、前記第６電流チャンネルは、前記第１電流チャンネルがオンの時にオフし、前記第１電流チャンネルがオフの時にオンし、前記第３電流チャンネルがオンの時にオフし、前記第３電流チャンネルがオフの時にオンする。
【００１６】
前記駆動回路において、前記第１スイッチ、前記第２スイッチ、前記第３スイッチ及び前記第４スイッチは、いずれもＮチャネル金属酸化物半導体トランジスタであり、前記第５スイッチ及び前記第６スイッチは、いずれもＰチャネル金属酸化物半導体トランジスタであり、又は、前記第１スイッチ、前記第２スイッチ、前記第３スイッチ及び前記第４スイッチは、いずれもＰチャネル金属酸化物半導体トランジスタであり、前記第５スイッチ及び前記第６スイッチは、いずれもＮチャネル金属酸化物半導体トランジスタである。
【００１７】
前記駆動回路において、前記第１選択信号のハイレベルの持続時間は、前記第２選択信号のハイレベルの持続時間と同一であり、前記第１選択信号のローレベルの持続時間は、前記第２選択信号のローレベルの持続時間と同一であり、前記第１選択信号のハイレベルの持続時間及び前記第２選択信号のハイレベルの持続時間は、いずれも２Ｋ個のクロック単位周期であり、前記第１選択信号のローレベルの持続時間及び前記第２選択信号のローレベルの持続時間は、いずれもＫ個のクロック単位周期であり、ここで、前記Ｋは正整数であり、前記第２選択信号のハイレベルの立ち上がりエッジの開始時間と、前記第１選択信号のハイレベルの立ち上がりエッジの開始時間は、Ｋ個のクロック単位周期離れている。
【００１８】
前記駆動回路において、前記走査信号のハイレベルの持続時間は３Ｋ個のクロック単位周期であり、前記走査信号のローレベルの持続時間も３Ｋ個のクロック単位周期である。
【００１９】
画素アレイと、前記画素アレイを、画像を表示するように制御する駆動回路とを含む表示パネルであって、前記駆動回路は、前記画素アレイに提供されるデータ信号を生成するデータ信号提供モジュールと、第１選択信号を提供する第１選択信号生成モジュールと、第２選択信号を提供する第２選択信号生成モジュールと、選択モジュールとを含み、前記選択モジュールは、少なくとも２つの選択スイッチの組合せを含み、前記選択スイッチの組合せは、前記第１選択信号生成モジュール、前記第２選択信号生成モジュール、前記データ信号提供モジュール及び前記画素アレイに電気的に接続され、前記選択スイッチの組合せは、前記第１選択信号、前記第２選択信号及び前記データ信号を受信し、前記第１選択信号及び前記第２選択信号に基づいて、前記データ信号を前記画素アレイに出力する。
【００２０】
前記表示パネルにおいて、前記選択スイッチの組合せは、前記第１選択信号生成モジュール及び前記データ信号提供モジュールに電気的に接続されている第１スイッチと、前記第２選択信号生成モジュール及び前記データ信号提供モジュールに電気的に接続されている第２スイッチと、前記第１選択信号生成モジュール及び前記データ信号提供モジュールに電気的に接続されている第３スイッチと、前記第２選択信号生成モジュール、前記第３スイッチ及び前記画素アレイにおける第３画素列に電気的に接続されている第４スイッチと、前記第２選択信号生成モジュール、前記第１スイッチ及び前記画素アレイにおける第１画素列に電気的に接続されている第５スイッチと、前記第１選択信号生成モジュール、前記第２スイッチ及び前記画素アレイにおける第２画素列に電気的に接続されている第６スイッチと、を含む。
【００２１】
前記表示パネルにおいて、前記第１スイッチは、前記第１選択信号生成モジュールに電気的に接続されている第１制御端と、前記データ信号提供モジュールに電気的に接続されている第１入力端と、前記第５スイッチに電気的に接続されている第１出力端とを含み、前記第１制御端は、前記第１選択信号を受信し、前記第１選択信号に基づいて、前記第１入力端と前記第１出力端との間の第１電流チャンネルのオン・オフを制御し、前記第２スイッチは、前記第２選択信号生成モジュールに電気的に接続されている第２制御端と、前記データ信号提供モジュールに電気的に接続されている第２入力端と、前記第６スイッチに電気的に接続されている第２出力端とを含み、前記第２制御端は、前記第２選択信号を受信し、前記第２選択信号に基づいて、前記第２入力端と前記第２出力端との間の第２電流チャンネルのオン・オフを制御し、前記第３スイッチは、前記第１選択信号生成モジュールに電気的に接続されている第３制御端と、前記データ信号提供モジュールに電気的に接続されている第３入力端と、前記第４スイッチに電気的に接続されている第３出力端とを含み、前記第３制御端は、前記第１選択信号を受信し、前記第１選択信号に基づいて、前記第３入力端と前記第３出力端との間の第３電流チャンネルのオン・オフを制御し、前記第４スイッチは、前記第２選択信号生成モジュールに電気的に接続されている第４制御端と、前記第３出力端に電気的に接続されている第４入力端と、前記第３画素列に電気的に接続されている第４出力端とを含み、前記第４制御端は、前記第２選択信号を受信し、前記第２選択信号に基づいて、前記第４入力端と前記第４出力端との間の第４電流チャンネルのオン・オフを制御し、前記第５スイッチは、前記第２選択信号生成モジュールに電気的に接続されている第５制御端と、前記第１出力端に電気的に接続されている第５入力端と、前記第１画素列に電気的に接続されている第５出力端とを含み、前記第５制御端は、前記第２選択信号を受信し、前記第２選択信号に基づいて、前記第５入力端と前記第５出力端との間の第５電流チャンネルのオン・オフを制御し、前記第６スイッチは、前記第１選択信号生成モジュールに電気的に接続されている第６制御端と、前記第２出力端に電気的に接続されている第６入力端と、前記第２画素列に電気的に接続されている第６出力端とを含み、前記第６制御端は、前記第１選択信号を受信し、前記第１選択信号に基づいて、前記第６入力端と前記第６出力端との間の第６電流チャンネルのオン・オフを制御する。
【００２２】
前記表示パネルにおいて、前記第１制御端は、第１信号線を介して前記第１選択信号生成モジュールに電気的に接続され、前記第２制御端は、第２信号線を介して前記第２選択信号生成モジュールに電気的に接続され、前記第３制御端は、前記第１信号線を介して前記第１選択信号生成モジュールに電気的に接続され、前記第４制御端は、前記第２信号線を介して前記第２選択信号生成モジュールに電気的に接続され、前記第５制御端は、前記第２信号線を介して前記第２選択信号生成モジュールに電気的に接続され、前記第６制御端は、前記第１信号線を介して前記第１選択信号生成モジュールに電気的に接続されている。
【００２３】
前記表示パネルにおいて、前記第１電流チャンネルは、前記第３電流チャンネルがオンの時にオンし、前記第３電流チャンネルがオフの時にオフし、前記第６電流チャンネルがオンの時にオフし、前記第６電流チャンネルがオフの時にオンし、前記第２電流チャンネルは、前記第４電流チャンネルがオンの時にオンし、前記第４電流チャンネルがオフの時にオフし、前記第５電流チャンネルがオンの時にオフし、前記第５電流チャンネルがオフの時にオンし、前記第３電流チャンネルは、前記第１電流チャンネルがオンの時にオンし、前記第１電流チャンネルがオフの時にオフし、前記第６電流チャンネルがオンの時にオフし、前記第６電流チャンネルがオフの時にオンし、前記第４電流チャンネルは、前記第２電流チャンネルがオンの時にオンし、前記第２電流チャンネルがオフの時にオフし、前記第５電流チャンネルがオンの時にオフし、前記第５電流チャンネルがオフの時にオンし、前記第５電流チャンネルは、前記第２電流チャンネルがオンの時にオフし、前記第２電流チャンネルがオフの時にオンし、前記第４電流チャンネルがオンの時にオフし、前記第４電流チャンネルがオフの時にオンし、前記第６電流チャンネルは、前記第１電流チャンネルがオンの時にオフし、前記第１電流チャンネルがオフの時にオンし、前記第３電流チャンネルがオンの時にオフし、前記第３電流チャンネルがオフの時にオンする。
【００２４】
前記表示パネルにおいて、前記第１スイッチ、前記第２スイッチ、前記第３スイッチ及び前記第４スイッチは、いずれもＮチャネル金属酸化物半導体トランジスタであり、前記第５スイッチ及び前記第６スイッチは、いずれもＰチャネル金属酸化物半導体トランジスタであり、又は、前記第１スイッチ、前記第２スイッチ、前記第３スイッチ及び前記第４スイッチは、いずれもＰチャネル金属酸化物半導体トランジスタであり、前記第５スイッチ及び前記第６スイッチは、いずれもＮチャネル金属酸化物半導体トランジスタである。
【００２５】
前記表示パネルにおいて、前記第１選択信号のハイレベルの持続時間は、前記第２選択信号のハイレベルの持続時間と同一であり、前記第１選択信号のローレベルの持続時間は、前記第２選択信号のローレベルの持続時間と同一であり、前記第１選択信号のハイレベルの持続時間及び前記第２選択信号のハイレベルの持続時間は、いずれも２Ｋ個のクロック単位周期であり、前記第１選択信号のローレベルの持続時間及び前記第２選択信号のローレベルの持続時間は、いずれもＫ個のクロック単位周期であり、ここで、前記Ｋは正整数であり、前記第２選択信号のハイレベルの立ち上がりエッジの開始時間と、前記第１選択信号のハイレベルの立ち上がりエッジの開始時間は、Ｋ個のクロック単位周期離れている。
【００２６】
前記表示パネルにおいて、前記走査信号のハイレベルの持続時間は３Ｋ個のクロック単位周期であり、前記走査信号のローレベルの持続時間も３Ｋ個のクロック単位周期である。
【００２７】
従来技術に比べて、本発明は、前記表示パネルの配線数の低減に有利である。
【図面の簡単な説明】
【００２８】
【図１】本発明の表示パネルのブロック図である。
【図２】図１に示す表示パネルの第１実施例の回路図である。
【図３】図２に示す表示パネルの駆動信号の波形図である。
【発明を実施するための形態】
【００２９】
本明細書に用いられる用語「実施例」とは、例、実例又は例証をいう。また、特に指定がない限り、本明細書と特許請求の範囲に用いられる冠詞「一」は、「１つ又は複数」の意味をする。
図１は、本発明の表示パネルのブロック図である。
【００３０】
本発明の表示パネルは、ＴＦＴ−ＬＣＤ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ、薄膜トランジスタ液晶表示パネル）、ＯＬＥＤ（Ｏｒｇａｎｉｃ  Ｌｉｇｈｔ  Ｅｍｉｔｔｉｎｇ  Ｄｉｏｄｅ、有機発光ダイオード表示パネル）等であることができる。
【００３１】
本発明の表示パネルは、画素アレイ１０と駆動回路２０とを含む。
【００３２】
前記駆動回路２０は、前記表示パネルにおける前記画素アレイ１０に電気的に接続され、前記駆動回路２０は、前記画素アレイ１０を画像を表示するように制御し、前記駆動回路２０は、データ信号提供モジュール２０１、第１選択信号生成モジュール２０２、第２選択信号生成モジュール２０３、及び選択モジュール２０４を含む。
【００３３】
前記データ信号提供モジュール２０１は、前記画素アレイ１０に提供されるデータ信号を生成する。前記第１選択信号生成モジュール２０２は、第１選択信号ＭＵＸ１を提供する。前記第２選択信号生成モジュール２０３は、第２選択信号ＭＵＸ２を提供する。前記選択モジュール２０４は、少なくとも２つの選択スイッチの組合せを含み、前記選択スイッチの組合せは、前記第１選択信号生成モジュール２０２、前記第２選択信号生成モジュール２０３、前記データ信号提供モジュール２０１及び前記画素アレイ１０に電気的に接続され、前記選択スイッチの組合せは、前記第１選択信号ＭＵＸ１、前記第２選択信号ＭＵＸ２及び前記データ信号を受信し、前記第１選択信号ＭＵＸ１及び前記第２選択信号ＭＵＸ２に基づいて、前記データ信号を前記画素アレイ１０に出力する。
【００３４】
前記駆動回路２０は、走査信号提供モジュールをさらに含み、前記走査信号提供モジュールは、前記画素アレイ１０に電気的に接続され、前記走査信号提供モジュールは、走査信号（ゲート信号）を生成し、前記走査信号を前記画素アレイ１０に送信する。
【００３５】
図２は、図１に示す表示パネルの第１実施例の回路図である。
【００３６】
本実施例において、前記画素アレイ１０は、少なくとも一つの第１画素行１０１と少なくとも一つの第２画素行１０２を含み、前記第１画素行１０１と前記第２画素行１０２は、第１方向３０に沿ってアレイ（一次元アレイ）の形式で配列される。前記第１画素行１０１は、少なくとも一つの第１画素Ｒ１、少なくとも一つの第２画素Ｇ１、及び少なくとも一つの第３画素Ｂ１を含み、前記第１画素Ｒ１、前記第２画素Ｇ１及び前記第３画素Ｂ１は、第２方向４０に沿ってアレイ（一次元アレイ）の形式で配列される。前記第２画素行１０２は、少なくとも一つの第４画素Ｒ２、少なくとも一つの第５画素Ｇ２、及び少なくとも一つの第６画素Ｂ２を含み、前記第４画素Ｒ２、前記第５画素Ｇ２及び前記第６画素Ｂ２は、前記第２方向４０に沿ってアレイ（一次元アレイ）の形式で配列される。前記画素アレイ１０は、少なくとも一つの第１画素列１０３、少なくとも一つの第２画素列１０４及び少なくとも一つの第３画素列１０５をさらに含み、前記第１画素列１０３は、前記第１画素Ｒ１及び前記第４画素Ｒ２を含み、前記第２画素列１０４は、前記第２画素Ｇ１及び前記第５画素Ｇ２を含み、前記第３画素列１０５は、前記第３画素Ｂ１及び前記第６画素Ｂ２を含む。前記第１方向３０は、前記第２方向４０に垂直である。
【００３７】
本実施例において、前記選択スイッチの組合せは、第１スイッチ２０４１、第２スイッチ２０４２、第３スイッチ２０４３、第４スイッチ２０４４、第５スイッチ２０４５及び第６スイッチ２０４６を含む。
【００３８】
前記第１スイッチ２０４１は、前記第１選択信号生成モジュール２０２、前記データ信号提供モジュール２０１及び前記第５スイッチ２０４５に電気的に接続されている。前記第２スイッチ２０４２は、前記第２選択信号生成モジュール２０３、前記データ信号提供モジュール２０１及び前記第６スイッチ２０４６に電気的に接続されている。前記第３スイッチ２０４３は、前記第１選択信号生成モジュール２０２、前記データ信号提供モジュール２０１及び前記第４スイッチ２０４４に電気的に接続されている。前記第４スイッチ２０４４は、前記第２選択信号生成モジュール２０３、前記第３スイッチ２０４３及び前記画素アレイ１０における第３画素列１０５に電気的に接続されている。前記第５スイッチ２０４５は、前記第２選択信号生成モジュール２０３、前記第１スイッチ２０４１及び前記画素アレイ１０における第１画素列１０３に電気的に接続されている。前記第６スイッチ２０４６は、前記第１選択信号生成モジュール２０２、前記第２スイッチ２０４２及び前記画素アレイ１０における第２画素列１０４に電気的に接続されている。
【００３９】
本実施例において、前記第１スイッチ２０４１、前記第２スイッチ２０４２、前記第３スイッチ２０４３、前記第４スイッチ２０４４、第５スイッチ２０４５及び第６スイッチ２０４６は、いずれもトランジスタであってもよい。前記第１スイッチ２０４１は、第１制御端２０４１１、第１入力端２０４１２及び第１出力端２０４１３を含む。前記第１制御端２０４１１は前記第１選択信号生成モジュール２０２に電気的に接続され、具体的には、前記第１制御端２０４１１は、第１信号線２０２１を介して前記第１選択信号生成モジュール２０２に電気的に接続されている。前記第１入力端２０４１２は、前記データ信号提供モジュール２０１に電気的に接続されている。前記第１出力端２０４１３は、前記第５スイッチ２０４５に電気的に接続されている。前記第１制御端２０４１１は、前記第１選択信号ＭＵＸ１を受信し、前記第１選択信号ＭＵＸ１に基づいて、前記第１入力端２０４１２と前記第１出力端２０４１３との間の第１電流チャンネルのオン・オフを制御する。
【００４０】
前記第２スイッチ２０４２は、第２制御端２０４２１、第２入力端２０４２２及び第２出力端２０４２３を含む。前記第２制御端２０４２１は、前記第２選択信号生成モジュール２０３に電気的に接続され、具体的には、前記第２制御端２０４２１は、第２信号線２０３１を介して前記第２選択信号生成モジュール２０３に電気的に接続されている。前記第２入力端２０４２２は、前記データ信号提供モジュール２０１に電気的に接続されている。前記第２出力端２０４２３は、前記第６スイッチ２０４６に電気的に接続されている。前記第２制御端２０４２１は、前記第２選択信号ＭＵＸ２を受信し、前記第２選択信号ＭＵＸ２に基づいて、前記第２入力端２０４２２と前記第２出力端２０４２３との間の第２電流チャンネルのオン・オフを制御する。
【００４１】
前記第３スイッチ２０４３は、第３制御端２０４３１、第３入力端２０４３２及び第３出力端２０４３３を含む。前記第３制御端２０４３１は、前記第１選択信号生成モジュール２０２に電気的に接続され、具体的には、前記第３制御端２０４３１は、前記第１信号線２０２１を介して前記第１選択信号生成モジュール２０２に電気的に接続されている。前記第３入力端２０４３２は、前記データ信号提供モジュール２０１に電気的に接続されている。前記第３出力端２０４３３は、前記第４スイッチ２０４４に電気的に接続されている。前記第３制御端２０４３１は、前記第１選択信号ＭＵＸ１を受信し、前記第１選択信号ＭＵＸ１に基づいて、前記第３入力端２０４３２と前記第３出力端２０４３３との間の第３電流チャンネルのオン・オフを制御する。
【００４２】
前記第４スイッチ２０４４は、第４制御端２０４４１、第４入力端２０４４２及び第４出力端２０４４３を含む。前記第４制御端２０４４１は、前記第２選択信号生成モジュール２０３に電気的に接続され、具体的には、前記第４制御端２０４４１は、前記第２信号線２０３１を介して前記第２選択信号生成モジュール２０３に電気的に接続されている。前記第４入力端２０４４２は、前記第３出力端２０４３３に電気的に接続されている。前記第４出力端２０４４３は、前記第３画素列１０５に電気的に接続されている。前記第４制御端２０４４１は、前記第２選択信号ＭＵＸ２を受信し、前記第２選択信号ＭＵＸ２に基づいて、前記第４入力端２０４４２と前記第４出力端２０４４３との間の第４電流チャンネルのオン・オフを制御する。
【００４３】
前記第５スイッチ２０４５は、第５制御端２０４５１、第５入力端２０４５２及び第５出力端２０４５３を含む。前記第５制御端２０４５１は、前記第２選択信号生成モジュール２０３に電気的に接続され、具体的には、前記第５制御端２０４５１は、前記第２信号線２０３１を介して前記第２選択信号生成モジュール２０３に電気的に接続されている。前記第５入力端２０４５２は、前記第１出力端２０４１３に電気的に接続されている。前記第５出力端２０４５３は、前記第１画素列１０３に電気的に接続されている。前記第５制御端２０４５１は、前記第２選択信号ＭＵＸ２を受信し、前記第２選択信号ＭＵＸ２に基づいて、前記第５入力端２０４５２と前記第５出力端２０４５３との間の第５電流チャンネルのオン・オフを制御する。
【００４４】
前記第６スイッチ２０４６は、第６制御端２０４６１、第６入力端２０４６２及び第６出力端２０４６３を含む。前記第６制御端２０４６１は、前記第１選択信号生成モジュール２０２に電気的に接続され、具体的には、前記第６制御端２０４６１は、前記第１信号線２０２１を介して前記第１選択信号生成モジュール２０２に電気的に接続されている。前記第６入力端２０４６２は、前記第２出力端２０４２３に電気的に接続されている。前記第６出力端２０４６３は、前記第２画素列１０４に電気的に接続されている。前記第６制御端２０４６１は、前記第１選択信号ＭＵＸ１を受信し、前記第１選択信号ＭＵＸ１に基づいて、前記第６入力端２０４６２と前記第６出力端２０４６３との間の第６電流チャンネルのオン・オフを制御する。
【００４５】
本実施例において、前記第１スイッチ２０４１、前記第２スイッチ２０４２、前記第３スイッチ２０４３及び前記第４スイッチ２０４４は、いずれもＮＭＯＳ（Ｎｅｇａｔｉｖｅ  ｃｈａｎｎｅｌ  Ｍｅｔａｌ  Ｏｘｉｄｅ  Ｓｅｍｉｃｏｎｄｕｃｔｏｒ、Ｎチャネル金属酸化物半導体）トランジスタであり、前記第５スイッチ２０４５及び前記第６スイッチ２０４６は、いずれもＰＭＯＳ（Ｐｏｓｉｔｉｖｅ  ｃｈａｎｎｅｌ  Ｍｅｔａｌ  Ｏｘｉｄｅ  Ｓｅｍｉｃｏｎｄｕｃｔｏｒ、Ｐチャネル金属酸化物半導体）トランジスタである。
【００４６】
前記第１電流チャンネルは、前記第３電流チャンネルがオンの時にオンし、前記第３電流チャンネルがオフの時にオフし、前記第６電流チャンネルがオンの時にオフし、前記第６電流チャンネルがオフの時にオンする。
【００４７】
前記第２電流チャンネルは、前記第４電流チャンネルがオンの時にオンし、前記第４電流チャンネルがオフの時にオフし、前記第５電流チャンネルがオンの時にオフし、前記第５電流チャンネルがオフの時にオンする。
【００４８】
前記第３電流チャンネルは、前記第１電流チャンネルがオンの時にオンし、前記第１電流チャンネルがオフの時にオフし、前記第６電流チャンネルがオンの時にオフし、前記第６電流チャンネルがオフの時にオンする。
【００４９】
前記第４電流チャンネルは、前記第２電流チャンネルがオンの時にオンし、前記第２電流チャンネルがオフの時にオフし、前記第５電流チャンネルがオンの時にオフし、前記第５電流チャンネルがオフの時にオンする。
【００５０】
前記第５電流チャンネルは、前記第２電流チャンネルがオンの時にオフし、前記第２電流チャンネルがオフの時にオンし、前記第４電流チャンネルがオンの時にオフし、前記第４電流チャンネルがオフの時にオンする。
【００５１】
前記第６電流チャンネルは、前記第１電流チャンネルがオンの時にオフし、前記第１電流チャンネルがオフの時にオンし、前記第３電流チャンネルがオンの時にオフし、前記第３電流チャンネルがオフの時にオンする。
【００５２】
本実施例において、前記第１選択信号ＭＵＸ１のハイレベルの持続時間は、前記第２選択信号ＭＵＸ２のハイレベルの持続時間と同一であり、前記第１選択信号ＭＵＸ１のローレベルの持続時間は、前記第２選択信号ＭＵＸ２のローレベルの持続時間と同一である。
【００５３】
前記第１選択信号ＭＵＸ１のハイレベルの持続時間及び前記第２選択信号ＭＵＸ２のハイレベルの持続時間は、いずれも２Ｋ個のクロック単位周期であり、前記第１選択信号ＭＵＸ１のローレベルの持続時間及び前記第２選択信号ＭＵＸ２のローレベルの持続時間は、いずれもＫ個のクロック単位周期であり、前記走査信号（前記第１画素行１０１に対応する第１走査信号Ｇａｔｅ１、前記第２画素行１０２に対応する第２走査信号Ｇａｔｅ２を含む。）のハイレベルの持続時間は、３Ｋ個のクロック単位周期であり、前記走査信号のローレベルの持続時間も３Ｋ個のクロック単位周期である。ここで、前記Ｋは、正整数である。例えば、前記Ｋ＝１である。
【００５４】
前記第２選択信号ＭＵＸ２のハイレベルの立ち上がりエッジの開始時間と、前記第１選択信号ＭＵＸ１のハイレベルの立ち上がりエッジの開始時間は、Ｋ個のクロック単位周期離れている。
【００５５】
前記画素アレイ１０の走査信号のハイレベルの立ち上がりエッジの開始時間は、前記第１選択信号ＭＵＸ１のハイレベルの持続時間内、又は前記第２選択信号ＭＵＸ２のハイレベルの持続時間内にある。
【００５６】
図３は、図２に示す表示パネルの駆動信号の波形図である。
以下、前記第１画素行１０１に対応する第１走査信号Ｇａｔｅ１、前記第２画素行１０２に対応する第２走査信号Ｇａｔｅ２がハイレベルの時に前記画素アレイ１０における画素のスイッチをオンし、ローレベルの時に前記画素のスイッチをオフすることを例として説明する。その逆もまた然りである。
【００５７】
第１のクロック単位周期３０１において、
前記走査信号提供モジュールが生成する前記第１走査信号Ｇａｔｅ１はハイレベルであり、前記第２走査信号Ｇａｔｅ２はローレベルである。この場合に、前記第１画素Ｒ１、前記第２画素Ｇ１及び前記第３画素Ｂ１のスイッチはいずれもオンし、前記第４画素Ｒ２、前記第５画素Ｇ２及び前記第６画素Ｂ２のスイッチはいずれもオフする。
【００５８】
前記第１選択信号ＭＵＸ１はハイレベルであり、前記第２選択信号ＭＵＸ２はローレベルである。この場合に、前記第１スイッチ２０４１の前記第１電流チャンネルがオンし、前記第２スイッチ２０４２の前記第２電流チャンネルがオフし、前記第３スイッチ２０４３の前記第３電流チャンネルがオンし、前記第４スイッチ２０４４の前記第４電流チャンネルがオフし、前記第５スイッチ２０４５の前記第５電流チャンネルがオンし、前記第６スイッチ２０４６の前記第６電流チャンネルがオフする。前記データ信号は、前記第１電流チャンネル及び前記第５電流チャンネルを介して前記第１画素列１０３の前記第１画素Ｒ１に入力され、前記第１画素Ｒ１を充電する。
【００５９】
第２のクロック単位周期３０２において、
前記第１走査信号Ｇａｔｅ１はハイレベルのままであり、前記第２走査信号Ｇａｔｅ２はローレベルのままである。この場合に、前記第１画素Ｒ１、前記第２画素Ｇ１及び前記第３画素Ｂ１のスイッチはいずれもオンし、前記第４画素Ｒ２、前記第５画素Ｇ２及び前記第６画素Ｂ２のスイッチはいずれもオフする。
【００６０】
前記第１選択信号ＭＵＸ１はローレベルであり、前記第２選択信号ＭＵＸ２はハイレベルである。この場合に、前記第１電流チャンネルがオフし、前記第２電流チャンネルがオンし、前記第３電流チャンネルがオフし、前記第４電流チャンネルがオンし、前記第５電流チャンネルがオフし、前記第６電流チャンネルがオンする。前記データ信号は、前記第２電流チャンネル及び前記第６電流チャンネルを介して前記第２画素列１０４の前記第２画素Ｇ１に入力され、前記第２画素Ｇ１を充電する。
【００６１】
第３のクロック単位周期３０３において、
前記第１走査信号Ｇａｔｅ１はハイレベルのままであり、前記第２走査信号Ｇａｔｅ２はローレベルのままである。この場合に、前記第１画素Ｒ１、前記第２画素Ｇ１及び前記第３画素Ｂ１のスイッチはいずれもオンし、前記第４画素Ｒ２、前記第５画素Ｇ２及び前記第６画素Ｂ２のスイッチはいずれもオフする。
【００６２】
前記第１選択信号ＭＵＸ１はハイレベルであり、前記第２選択信号ＭＵＸ２はハイレベルである。この場合に、前記第１電流チャンネルがオンし、前記第２電流チャンネルがオンし、前記第３電流チャンネルがオンし、前記第４電流チャンネルがオンし、前記第５電流チャンネルがオフし、第６電流チャンネルがオフする。前記データ信号は、前記第３電流チャンネル及び前記第４電流チャンネルを介して前記第３画素列１０５の前記第３画素Ｂ１に入力され、前記第３画素Ｂ１を充電する。
【００６３】
第４のクロック単位周期３０４において、
前記第１走査信号Ｇａｔｅ１はローレベルであり、前記第２走査信号Ｇａｔｅ２はハイレベルである。この場合に、前記第１画素Ｒ１、前記第２画素Ｇ１及び前記第３画素Ｂ１のスイッチはいずれもオフし、前記第４画素Ｒ２、前記第５画素Ｇ２及び前記第６画素Ｂ２のスイッチはいずれもがオンする。
【００６４】
前記第１選択信号ＭＵＸ１はハイレベル、前記第２選択信号ＭＵＸ２はローレベルに保持される。この場合に、前記第１電流チャンネルがオンし、前記第２電流チャンネルがオフし、前記第３電流チャンネルがオンし、前記第４電流チャンネルがオフし、前記第５電流チャンネルがオンし、前記第６電流チャンネルがオフする。前記データ信号は、前記第１電流チャンネル及び前記第５電流チャンネルを介して前記第１画素列１０３の前記第４画素Ｒ２に入力され、前記第４画素Ｒ２を充電する。
【００６５】
第５のクロック単位周期３０５において、
前記第１走査信号Ｇａｔｅ１はローレベルのままであり、前記第２走査信号Ｇａｔｅ２はハイレベルのままである。この場合に、前記第１画素Ｒ１、前記第２画素Ｇ１及び前記第３画素Ｂ１のスイッチはいずれもオフし、前記第４画素Ｒ２、前記第５画素Ｇ２及び前記第６画素Ｂ２のスイッチはいずれもオンする。
【００６６】
前記第１選択信号ＭＵＸ１はローレベルであり、前記第２選択信号ＭＵＸ２はハイレベルである。この場合に、前記第１電流チャンネルがオフし、前記第２電流チャンネルがオンし、前記第３電流チャンネルがオフし、前記第４電流チャンネルがオンし、前記第５電流チャンネルがオフし、前記第６電流チャンネルがオンする。前記データ信号は、前記第２電流チャンネル及び前記第６電流チャンネルを介して前記第２画素列１０４の前記第５画素Ｇ２に入力され、前記第５画素Ｇ２を充電する。
【００６７】
第６のクロック単位周期３０６において、
前記第１走査信号Ｇａｔｅ１はローレベルのままであり、前記第２走査信号Ｇａｔｅ２はハイレベルのままである。この場合に、前記第１画素Ｒ１、前記第２画素Ｇ１及び前記第３画素Ｂ１のスイッチはいずれもオフし、前記第４画素Ｒ２、前記第５画素Ｇ２及び前記第６画素Ｂ２のスイッチはいずれもオンする。
【００６８】
前記第１選択信号ＭＵＸ１はハイレベルであり、前記第２選択信号ＭＵＸ２はハイレベルである。この場合に、前記第１電流チャンネルがオンし、前記第２電流チャンネルがオンし、前記第３電流チャンネルがオンし、前記第４電流チャンネルがオンし、前記第５電流チャンネルがオフし、前記第６電流チャンネルがオフする。前記データ信号は前記第３電流チャンネル及び前記第４電流チャンネルを介して前記第３画素列１０５の前記第６画素Ｂ２に入力され、前記第６画素Ｂ２を充電する。
画面全体がリフレッシュされるまで、以上のように続ける。
【００６９】
上記の技術手段により、前記表示パネルの配線（信号線）の数を効果的に減少でき、前記表示パネルの解像度の向上が前記配線数に制限されないようになる。
【００７０】
また、上記の技術手段は、前記駆動回路の駆動信号の数の減少（例えば、３種類の選択信号（第１選択信号、第２選択信号及び第３選択信号）から２種類の選択信号（前記第１選択信号、前記第２選択信号）に減少される。）にも有利である。
【００７１】
本発明の表示パネルの第２実施例は前記第１実施例に類似し、相違するのは以下の点にある。
前記第１スイッチ２０４１、前記第２スイッチ２０４２、前記第３スイッチ２０４３及び前記第４スイッチ２０４４は、いずれもＰＭＯＳ（Ｐｏｓｉｔｉｖｅ  ｃｈａｎｎｅｌ  Ｍｅｔａｌ  Ｏｘｉｄｅ  Ｓｅｍｉｃｏｎｄｕｃｔｏｒ、Ｐチャネル金属酸化物半導体）トランジスタであり、前記第５スイッチ２０４５及び前記第６スイッチ２０４６は、いずれもＮＭＯＳ（Ｎｅｇａｔｉｖｅ  ｃｈａｎｎｅｌ  Ｍｅｔａｌ  Ｏｘｉｄｅ  Ｓｅｍｉｃｏｎｄｕｃｔｏｒ、Ｎチャネル金属酸化物半導体）トランジスタである。
【００７２】
１つ又は複数の実現方式にて本発明を説明したが、当業者であれば、本明細書と図面に対する理解に基づいて、同等の変形および修正を想到することができる。本発明は、このようなすべての変形及び修正を含み、且つ特許請求の範囲のみにより制限される。特に、前記部品で実行される様々な機能について、構造上、本明細書に例示される実施態様における機能を実行する構造と同等ではなくても、それらの部品を述べるための用語は、前記部品の特定機能（例えば、機能上同等のもの）を実行する任意な部品（特に断りのない限り）に対応する。さらに、本明細書の特定な特徴は幾つかの実施態様の１つにより開示されたが、このような特徴を他の実施態様の１つ又は複数の他の特徴と組み合わせてもよい。また、用語「含む」、「有する」、「含有」又はその変形が具体的な実施態様用又は請求項に用いられる場合に、このような用語は、それらの用語に類似する含有を含む。
【００７３】
上記より、本発明は好ましい実施例により開示されたが、上記の好ましい実施例は本発明を限定するものでなく、本発明の趣旨及び範囲を脱出しない限り、当業者であれば、様々な変更及び修飾を加えることができるため、本発明の保護範囲は、特許請求の範囲に基づくものである。
【図１】
0006486495.tif 000002
【図２】
0006486495.tif 000003
【図３】
0006486495.tif 000004